(57)【要約】【課題】  空気調和機及び蓄熱電気暖房機の吹出しエアーで、床面又は天井面を効率良くまた分布よく冷却又は加熱する輻射空調（冷暖房）システムを提供する。【解決手段】  空気調和機及び蓄熱電気暖房機６で生成した冷風や温風を、気流変換器付不燃性樹脂フィルムダクト１７を複数本敷設し、このダクト内水平気流の冷風や温風を気流方向変換器１２で垂直気流に変換し、床下地ボード３の下面や天井材１４の上面に衝突させて噴流し、放射状に拡散させ、床仕上材４や天井材１４を効率良くまた分布よく冷却又は加熱し、床仕上材４や天井材１４から生じる冷輻射や温輻射熱の効果を高めて床及び天井輻射空調（冷暖房）を行う。さらに、床仕上材や天井材を加熱または冷却した後の冷風や温風は、居室内に吹出されて、居室の空気を冷却又は加熱し、再び空気調和機及び蓄熱電気暖房機で循環利用される。【選択図】  図１
2005337690.tif 000002
【特許請求の範囲】
【請求項１】
空気調和機や蓄熱暖房機で生成された冷風や温風の空気を居室等の床下空間又は天井空間に不燃性樹脂フイルムダクトを敷設して内側に送気しその途中に器具（気流方向変換器）を取付けこのダクト内気流を垂直気流に変換し、床材の下面や天井材の上面に垂直に噴流して、床材や天井材を加熱又は冷却するための金属や樹脂などで製作された器具（気流方向変換器）
【請求項２】
空気調和機や蓄熱暖房機で生成された冷風や温風の空気を居室等の床下空間又は天井空間に不燃性樹脂フイルムダクトを敷設し送気する、このフィルムダクトは，送気したとき  管状に膨れるので敷設するときは平面板状の為狭い空間の敷設も可能であることを特徴とする。このダクトの途中を分岐して器具（気流方向変換器）を取付ける様にした不燃性樹脂フイルムダクト
【請求項３】
空気調和機や蓄熱暖房機で生成された冷風や温風の空気を居室等の床下空間又は天井空間に不燃性樹脂フイルムダクトを敷設、その途中に器具（気流方向変換器）を垂直に取付けた不燃性樹脂フイルムダクトを床下空間又は天井空間に複数本敷設し、気流方向変換器から吹出す垂直気流を床材の下面や天井材の上面に垂直に噴流し、床材や天井材を効率良く分布雨よく均一に加熱又は冷却して、床材や天井材から生じる冷輻射や温輻射熱で輻射空調（冷暖房）を行い、床材や天井材を加熱または冷却した後の冷風や温風は、床吹出し口や天井吹出し口から居室に吹出されて、居室の空気を冷却又は加熱し、再び空気調和機や蓄熱暖房機で冷却又は加熱されて循環利用する輻射空調（冷暖房）システム。
【請求項４】
空気調和機や蓄熱暖房機で生成された冷風や温風の空気を居室等の床下空間又は天井空間に不燃性樹脂フイルムダクトを敷設、内側に送気し器具（気流方向変換器）で気流を垂直気流に変換して床材の下面や天井材の上面に垂直に噴流し床材や天井材を効率良く加熱又は冷却して、床材や天井材から生じる冷輻射や温輻射熱で輻射空調（冷暖房）を行い、床材や天井材を加熱または冷却した後の冷風や温風は、床吹出し口や天井吹出し口から居室に吹出されて、居室の空気を冷却又は加熱し、再び空気調和機や蓄熱暖房機で冷却又は加熱されて循環利用する輻射空調（冷暖房）システム。このシステムに採用され、不燃性樹脂フイルムダクトに吹き込む温風温度を３５℃程度一定に保つ自動ダンパー装置を装備した床下吹出し型夜間電力利用蓄熱暖房機
【発明の詳細な説明】
【発明の詳細な説明】
【技術分野】
【０００１】  この発明は、空気調和機や蓄熱暖房機で生成された冷風や温風の空気を居室等の床下空間に不燃性樹脂フイルムダクトを敷設、内側に送気して分岐部に取付けられた器具（気流方向変換器）で水平気流を垂直噴流に変換し床材や天井材を加熱又は冷却して、床材や天井材から生じる冷輻射や  温輻射を空気の乱流攪拌により境膜を破壊して熱伝達効果を高めて居室の輻射空調（冷暖房）を行う
【背景技術】
【０００２】    従来、この種のシステムとしては図４に示すように、断熱材２を貼ったコンクリートスラブ１と、床下地ボード３と床仕上材４からなる床面との間に床下送気空間５を設け、空気調和機６で生成された冷風や温風を送気空間５に送気して、床仕上材４を冷却又は加熱し、床仕上材４から得られる冷輻射や温輻射熱で床輻射冷暖房を行い、吹出し口７から居室Ｒに吹出された空調空気により、居室Ｒの空気を冷却又は加熱して冷暖房を行うシステムで、この場合輻射よりも空気対流による効果の方が大きいものが知られている。
【発明が解決しようとする課題】
【０００３】  しかしながら、上記のように床下送気空間５に空気調和機６で生成された冷風や温風を送気して通過させただけでは、床下地ボード３と冷風や温風との間の境膜で表面熱伝達抵抗が大きくなり、冷風や温風の熱が効率良く床下地ボード３に伝達せずに、床仕上材４の加熱温度が低く、また冷却温度が高くなり、床仕上材４から得られる冷輻射や温輻射熱による冷暖房効果が低く、またこの場合空気調和機６近くは効果があるが離れるほど効果が低いという課題があった。
【０００４】  この発明はこのような点に着目してなされたもので、その目的とするところは、簡単な構成で、設備コストを抑え、空気調和機や低温風床下吹出型蓄熱暖房機から吹出される空気温度でも、十分に床面を効率良く冷却又は加熱することができまた夜間電力を利用した蓄熱暖房機は低温風で吹出す事が出来るので得蓄熱された熱を長時間効率良く利用できる効果もあり、床仕上材から得られる冷ふく射や温ふく射熱による冷暖房効果が大きく、ランニングコストを低減し、快適性のある居室等の冷暖房を行うことができるシステムを提供することにある。
【課題を解決するための手段】
【０００５】  本発明は、空調機や蓄熱暖房機で生成した冷風や温風を送気する不燃性樹脂フィルムダクトを床下送気空間や天井送気空間に、気流方向変換器付フィルムダクトを複数（本数）設け、前記ダクト内の冷風や温風の水平気流を気流方向変換器で垂直気流に変換し、床下地ボードの下面に垂直に噴流させて冷風や温風を放射状に拡散させ、床仕上材を効率良く冷却又は加熱して、床仕上材から生じる冷輻射や温輻射熱の効果を高めて、床輻射冷暖房を行う。
また、天井送気空間内では、不燃性樹脂フィルムダクト内の冷風や温風の水平気流を気流方向変換器で垂直気流に変換し、天井材の上面に垂直に噴流させて冷風や温風を放射状に拡散させ、天井材を効率良く冷却又は加熱して、天井材から生じる冷輻射や温輻射熱の効果を高めて、天井輻射空調（冷暖房）を行う。又  このフィルムダクトを利用することで気流方向変換器の風速を早めて  前記温度分布を均一にする効果と輻射効果を大幅に高める。
さらに、床仕上材や天井材を加熱または冷却した後の冷風や温風は、床下送気空間や天井送気空間を通過して、床吹出し口や天井吹出し口から居室に吹出され、居室の空気を冷却又は加熱し、再び空調機で冷却又は加熱されて循環利用されるという手段を採用し、上記課題を解決した。
【発明を実施するための最良の形態】以下、この発明の実施の形態について図面を参照して説明する。【０００６】  このような目的を達成するために、図３に示すような、金属や樹脂などで製作された円筒形の器８の側面に、開口部１０を設け  上部円筒を下部円筒部の１／２φ程に絞り込んで吹出口１１を形成し  底面蓋９からなる気流方向変換器１２を、図１に示すような、断熱材２を貼ったコンクリートスラブ１と、床下地ボード３と床仕上材４からなる床面との間の床下送気空間５に、気流方向変換器１２を複数設置する。ただし、気流方向変換器１２の開口部１０が、空気調和機や蓄熱暖房機６で生成され送気ダクト１３を通過して床下送気空間５に敷設した不燃性樹脂フィルムダクトに送られ水平気流の冷風や温風と対向するように気流方向変換器１２を設置し、吸気口１１に吹込まれた水平気流の温風や冷風を、気流方向変換器１２で垂直気流に変換し、床下地ボード３の下面に衝突させて噴流し、床下地ボード３の下面で冷風や温風を放射状に拡散させ、床仕上材４を効率良く冷却又は加熱して、床仕上材から生じる冷輻射や温輻射熱の効果を高めて、床輻射冷暖房を行う。尚、床材を加熱または冷却した後の冷風や温風は、床下送気空間５を通過して、吹出し口７から居室Ｒに吹出されて、居室Ｒの空気を冷却又は加熱し、再び空気調和機又は蓄熱暖房機６で冷却又は加熱されて循環利用される。【０００７】  また、図２に示すように、空気調和機又は蓄熱暖房機６で生成されて、天井送気空間１５に敷設した不燃性樹脂フィルムダクトに送られた水平気流の冷風や温風と、気流方向変換器１２の吸込部１１が対向するように気流方向変換器１２を複数設置し、吸気口１１に吹込れた水平気流の温風や冷風を、気流方向変換器１２で  垂直気流に変換して、天井材１４から生じる冷輻射や温輻射熱の効果を高めて、天井輻射冷暖房を行う。尚、天井材を加熱または冷却した後の冷風や温風は、天井送気空間１５を通過して、天井吹出し口１６から居室Ｒに吹出されて、居室Ｒの空気を冷却又は加熱し、再び空調機又は蓄熱暖房機６で冷却又は加熱されて循環利用される。
【発明の効果】
【０００８】  以上説明したようにこの発明によって、空気調和機又は蓄熱暖房機で生成した冷風や温風を不燃性樹脂フィルムダクトに送気し、気流方向変換器付前記ダクトを複数本設置し、このダクト内の冷風や温風の水平気流を気流方向変換器で垂直気流に変換し、床下地ボード下面に衝突させて噴流し、床下地ボードの下面で冷風や温風を放射状に拡散させ、床仕上材を効率良く冷却又は加熱し、また、天井送気空間では、複数本敷設された前記ダクト内の冷風や温風の水平気流を気流方向変換器で垂直気流に変換し、天井材の上面に衝突させて噴流し、天井材上面で冷風や温風を放射状に拡散させ、天井材を効率良く冷却又は加熱し、床仕上材や天井材から生じる冷輻射や温輻射熱の効果を高めて、床輻射冷暖房を行い。さらに、床仕上材や天井材を加熱または冷却した後の冷風や温風は、居室内に吹出されて、居室の空気を冷却又は加熱し、再び空気調和機又は蓄熱暖房機で循環利用されるという手段を採用したことで、冷暖房効率が高くなり、床面や天井面全体の温度分布が極めて良くなり  ランニングコストや設備建設コストが安価で、しかも設置スペースが小さくなることから、従来の建物に比べ、階高の低い建物でも居室の天井高を高くすることができ、快適な居住空間が得られ建設コストを抑えることができる。
【図面の簡単な説明】
【図１】  この発明の実施形態に係る空調空気式・床下吹形電気蓄熱式  床輻射冷暖房システムを示す構成図である。
【図２】  この発明の実施形態に係る空調空気式・電気蓄熱送気式  天井輻射冷暖房システムを示す構成図である。
【図３】  この発明の実施形態に係る気流方向変換器の斜視図である。この発明の実施形態に係わる  床気流方向変換器付不燃性フィルムダクトの構造図である。
【図４】  従来例を示す空調空気式床輻射冷暖房システムを示す構成図である。
【図５】  この発明の実施形態に従い床下吹出形電気蓄熱暖房機の構造図である。
【符号の説明】
Ｒ    居室
１    コンクリートスラブ
２    断熱材
３    床下地ボード
４    床仕上材
５    床下送気空間
６    空気調和機
７    吹出し口
８    円筒形の器
９    底面ぶた
１０  上部円筒
１１  吸気口
１１’吹出口
１２  気流方向変換器
１３  送気チャンバー
１４  天井材
１５  天井送気空間
１６  天井吹出し口
１７  不燃性樹脂フィルムダクト
１８  気流方向変換器の支持金物
【図１】
2005337690.tif 000003
【図２】
2005337690.tif 000004
【図３】
2005337690.tif 000005
【図４】
2005337690.tif 000006
【図５】
2005337690.tif 000007